(57)【特許請求の範囲】
【請求項１】
無線周波数（ＲＦ）回路及びベースバンド回路を有した無線通信回路を有するユーザ端末デバイス（ＵＥ）において、
第１のスリープ状態から抜けるように水晶発振器に電力を供給し、
前記水晶発振器からの出力に基づいて、前記ＲＦ回路に１つ以上のクロック信号を供給し、
前記ベースバンド回路と独立して、前記ＲＦ回路のキャリブレーション及び状態の復元を実行し、
前記ベースバンド回路の状態の復元を実行し、
前記ＲＦ回路を用いて無線通信ネットワークからデータを受信し、
前記ベースバンド回路を用いて前記データを処理し、
前記ＲＦ回路および前記ベースバンド回路のための状態の保持を実行し、
第２のスリープ状態に入るように、前記水晶発振器の電源を切る、
ことを含むことを特徴とする方法。
【請求項２】
前記ＲＦ回路および前記ベースバンド回路のための状態の保持の実行は、前記ベースバンド回路と独立しての前記ＲＦ回路の状態の保持を実行することを含み、前記ベースバンド回路と独立しての前記ＲＦ回路の状態の保持の当該実行は、前記ベースバンド回路を用いた前記データの処理の完了の前に実行され、
前記ＲＦ回路および前記ベースバンド回路のための状態の保持の実行は、当該データの処理の後に、前記ベースバンド回路の状態の保持を実行することを含む、
ことを特徴とする請求項１に記載の方法。
【請求項３】
前記ＲＦ回路はマイクロプロセッサを含み、前記ＲＦ回路のキャリブレーション及び状態の復元の前記実行は、前記ＲＦ回路の前記マイクロプロセッサによって制御される、
ことを特徴とする請求項１に記載の方法。
【請求項４】
前記ＲＦ回路は不揮発性メモリ及び揮発性メモリを有し、前記ＲＦ回路のキャリブレーション及び状態の復元の前記実行は、前記ＲＦ回路の前記不揮発性メモリから前記揮発性メモリへのデータの転送を含む、
ことを特徴とする請求項３に記載の方法。
【請求項５】
前記ベースバンド回路を用いて、前記データの処理の前に、１つ以上の同期処理を実行することをさらに含む、
ことを特徴とする請求項１に記載の方法。
【請求項６】
前記１つ以上の同期処理は、周波数追従ループ（ＦＴＬ）処理及び時間追従ループ（ＴＴＬ）処理を含む、
ことを特徴とする請求項５に記載の方法。
【請求項７】
前記データは、物理下りリンク制御チャネル（ＰＤＣＣＨ）情報を含む、
ことを特徴とする請求項１に記載の方法。
【請求項８】
前記水晶発振器からの前記出力を１つ以上の位相ロックループ（ＰＬＬ）へ供給することをさらに含み、
前記１つ以上のクロック信号は、前記ＰＬＬの出力に基づく、
ことを特徴とする請求項１に記載の方法。
【請求項９】
前記ベースバンド回路はマイクロプロセッサを有し、前記ベースバンド回路の状態の復元の前記実行は、前記ベースバンド回路の前記マイクロプロセッサによって制御される、
ことを特徴とする請求項１に記載の方法。
【請求項１０】
前記ＵＥは、前記第１のスリープ状態の間に作動する低速クロック及び無線通信回路の動作に用いられる高速クロックを有し、
前記方法は、
前記第１のスリープ状態の間に低速クロックサイクルの数を判定し、
低速クロックサイクルの前記数を用いて、前記第１のスリープ状態の間、高速クロックサイクルの数を判定し、
高速クロックサイクルの前記数を用いて現在の高速クロック時間を判定する、
ことをさらに含み、
無線通信ネットワークからの前記データの受信は、前記現在の高速クロック時間の判定に基づいて実行される、
ことを特徴とする請求項１に記載の方法。
【請求項１１】
ユーザ端末デバイス（ＵＥ）であって、
水晶発振器と、
マイクロプロセッサ、不揮発性メモリ及び揮発性メモリを有し、前記水晶発振器に接続されている無線周波数（ＲＦ）回路と、
マイクロプロセッサを有し、前記ＲＦ回路及び前記水晶発振器に接続されているベースバンド回路と、
を有し、
前記ＵＥは、
第１のスリープ状態から抜けるように水晶発振器に電力を供給し、
前記ＲＦ回路の前記マイクロプロセッサによる制御によって、前記水晶発振器へ電力を供給したことに応じて、前記ＲＦ回路のキャリブレーション及び状態の復元を実行し、
前記ベースバンド回路の前記マイクロプロセッサによる制御によって、前記ＲＦ回路のキャリブレーションの実行後に、前記ベースバンド回路の状態の復元を実行し、
前記ＲＦ回路を用いて、無線通信ネットワークからデータを受信し、
前記ベースバンド回路を用いて前記データを処理し、
前記ＲＦ回路の前記マイクロプロセッサによる制御によって、前記無線通信ネットワークからの前記データの受信の後に、前記ＲＦ回路の状態の保持を実行し、
前記ベースバンド回路の前記マイクロプロセッサによる制御によって、前記データの処理の後に、前記ベースバンド回路の状態の保持を実行し、
前記ベースバンド回路の状態の保持の実行の後に、第２のスリープ状態に入るように、前記水晶発振器の電源を切る、
ように構成される、ことを特徴とするユーザ端末デバイス。
【請求項１２】
前記ＲＦ回路は、さらに、１つ以上の位相ロックループ（ＰＬＬ）を有し、
前記ＵＥは、さらに、
前記１つ以上のＰＬＬへ前記水晶発振器からの出力を供給し、
前記１つ以上のＰＬＬからの出力に基づいて、１つ以上のクロック信号を供給する、
ように構成される、ことを特徴とする請求項１１に記載のユーザ端末デバイス。
【請求項１３】
前記ＲＦ回路の状態の保持の実行は、前記ベースバンド回路を用いた前記データの処理の完了の前に行われる、
ことを特徴とする請求項１１に記載のユーザ端末デバイス。
【請求項１４】
前記ＲＦ回路のキャリブレーション及び状態の復元の実行は、前記ＲＦ回路の前記不揮発性メモリから前記揮発性メモリへデータを転送することを含む、
ことを特徴とする請求項１１に記載のユーザ端末デバイス。
【請求項１５】
前記ＵＥは、前記ベースバンド回路を用いて、前記データの処理の前に１つ以上の同期処理を実行するようにさらに構成され、
前記１つ以上の同期処理は、周波数追従ループ（ＦＴＬ）処理及び時間追従ループ（ＴＴＬ）処理を含む、
ことを特徴とする請求項１１に記載のユーザ端末デバイス。
【請求項１６】
前記データは、物理下りリンク制御チャネル（ＰＤＣＣＨ）情報を含む、
ことを特徴とする請求項１１に記載のユーザ端末デバイス。
【請求項１７】
前記ＵＥは、前記第１のスリープ状態の間に作動する低速クロックと、無線通信回路の動作に用いられる高速クロックとを有し、
前記ＵＥは、さらに、
前記第１のスリープ状態の間に低速クロックサイクルの数を判定し、
低速クロックサイクルの前記数を用いて、前記第１のスリープ状態の間に、高速クロックサイクルの数を判定し、
高速クロックサイクルの前記数を用いて現在の高速クロック時間を判定する、
ように構成され、
前記無線通信ネットワークからの前記データの受信は、前記現在の高速クロック時間の判定に基づいて実行される、
ことを特徴とする請求項１１に記載のユーザ端末デバイス。
【請求項１８】
ユーザ端末デバイス（ＵＥ）内に配置されるように構成された無線周波数（ＲＦ）回路であって、
マイクロプロセッサと、
前記マイクロプロセッサに接続されており、スリープ状態の間に、状態の情報を記憶するように構成される不揮発性メモリと、
前記マイクロプロセッサに接続されており、アクティブな状態の間に、状態の情報を記憶するように構成される揮発性メモリと、
を有し、
前記ＲＦ回路は、
第１のスリープ状態を抜けた後に、前記ＵＥの水晶発振器から参照信号を受信し、
前記水晶発振器から前記参照信号を受信したことに応じて、前記ＲＦ回路のマイクロプロセッサによる制御によって、前記ＲＦ回路のキャリブレーション及び状態の復元を実行し、前記状態の復元は、前記不揮発性メモリから前記揮発性メモリへの状態の情報の転送を含むものであり、
無線通信ネットワークからデータを受信し、
前記ＲＦ回路の前記マイクロプロセッサによる制御によって、無線通信ネットワークからの前記データの受信の後に、前記ＲＦ回路の状態の保持を実行する、
ように構成されることを特徴とする無線周波数回路。
【請求項１９】
前記ＲＦ回路の状態の保持の実行は、前記ＵＥのベースバンド回路による前記データの処理の完了の前に行われる、
ことを特徴とする請求項１８に記載の無線周波数回路。
【請求項２０】
前記ＲＦ回路は、さらに、１つ以上の位相ロックループ（ＰＬＬ）を有し、
前記ＲＦ回路は、
前記参照信号を前記１つ以上のＰＬＬへ供給し、
前記１つ以上のＰＬＬの出力に基づいて、１つ以上のクロック信号を供給する、
ように構成され、
前記ＲＦ回路のキャリブレーション及び状態の復元の実行は、前記１つ以上のクロック信号に基づいて行われる、
ことを特徴とする請求項１８に記載の無線周波数回路。
【発明の詳細な説明】
【技術分野】
【０００１】
本出願は、無線デバイスに関し、特に、ＵＥ起床処理を並列化するための装置、システム、及び方法に関する。
【背景技術】
【０００２】
無線通信システムが急速に使用されるようになっている。さらに、無線通信技術は、音声のみの通信から、インターネット及びマルチメディアコンテンツなどのデータの伝送をも含むように進化している。また、ユーザ端末（ＵＥ）は、一般に、ユーザが希望する、アプリケーションなどの他の機能を提供する。したがって、ＵＥ、例えば携帯電話などの無線デバイスに存在する大量の機能が、そのＵＥのバッテリ残量に多大な負担をかけうる。したがって、無線通信における改善が望まれる。
【発明の概要】
【０００３】
ここで説明される実施形態は、ＵＥの起床処理を並列化するための装置、システム、及び方法に関する。
【０００４】
１つの実施形態において、ＵＥの起床処理を並列化するための方法は、第１のスリープ状態を抜けるように、水晶発振器に電力を供給することを含みうる。１つ以上のクロック信号が、水晶発振器からの出力に基づいて、ＲＦ回路へ供給されうる。ＲＦ回路のキャリブレーション及び状態の復元が、ベースバンド回路と独立して行われうる。ベースバンド回路の状態の復元が実行されうる。データが、ＲＦ回路を用いて無線通信ネットワークから受信されうる。データは、ベースバンド回路を用いて処理されうる。ＲＦ回路及びベースバンド回路の状態の保持が実行されうる。水晶発振器は、第２のスリープ状態に移るために、電源が切られうる。
【０００５】
１つの実施形態では、ＵＥは、水晶発振器、その水晶発振器に接続されている無線周波数（ＲＦ）回路、及びＲＦ回路及び水晶発振器に接続されているベースバンド回路を含みうる。ＲＦ回路は、マイクロプロセッサ、不揮発性メモリ、及び揮発性メモリを含みうる。ベースバンド回路は、マイクロプロセッサを含みうる。ＵＥは、第１のスリープ状態から抜けるように、水晶発振器へ電源を供給するように構成されうる。ＵＥは、水晶発振器へ電源を供給したことに応じて、ＲＦ回路のキャリブレーション及び状態の復元を実行するように構成されうる。ＲＦ回路のキャリブレーション及び状態の復元の実行は、ＲＦ回路のマイクロプロセッサによって制御されうる。ＵＥは、ベースバンド回路の状態の復元を実行するように構成されうる。その状態の復元は、ベースバンド回路のマイクロプロセッサによって制御されうる。ＵＥは、ＲＦ回路を用いて、無線通信ネットワークからデータを受信するように構成されうる。ＵＥは、ベースバンド回路を用いてそのデータを処理するように構成されうる。ＵＥは、無線通信ネットワークからのデータの後に、ＲＦ回路の状態の保持を実行するように構成されうる。ＲＦ回路の状態の保持の実行は、ＲＦ回路のマイクロプロセッサによって制御されうる。ＵＥは、データの処理の後に、ベースバンド回路の状態の保持を実行するように構成されてもよく、これはベースバンド回路のマイクロプロセッサによって制御されうる。ＵＥは、ベースバンド回路の状態の保持の実行後に、第２のスリープ状態に入るように、水晶発振器の電源を切るように構成されうる。
【０００６】
１つの実施形態では、ＲＦ回路は、マイクロプロセッサ、そのマイクロプロセッサに接続されている不揮発性メモリ、及びそのマイクロプロセッサに接続されている揮発性メモリを含みうる。不揮発性メモリは、スリープ状態の間に状態の情報を記憶するように構成されてもよく、揮発性メモリは、アクティブ状態の間に、状態の情報を記憶するように構成されうる。ＲＦ回路は、第１のスリープ状態から抜けた後にＵＥの水晶発振器から参照信号を受信するように構成されうる。ＲＦ回路は、水晶発振器からの参照信号を受信したことに応じて、ＲＦ回路のキャリブレーション及び状態の復元を実行するように構成されうる。ＲＦ回路のキャリブレーション及び状態の復元の実行は、ＲＦ回路のマイクロプロセッサによって制御されてもよく、状態の復元は、不揮発性メモリから揮発性メモリへ状態の情報を転送することを含みうる。ＲＦ回路は、無線通信ネットワークからデータを受信するように構成されうる。ＲＦ回路は、無線通信ネットワークからデータを受信した後に、ＲＦ回路の状態の保持を実行するように構成されうる。ＲＦ回路の状態の保持の実行は、ＲＦ回路のマイクロプロセッサによって制御されうる。
【０００７】
ここで説明される技術は、携帯電話、ポータブルメディアプレイヤ、ポータブルゲームデバイス、タブレットコンピュータ、ウェアラブルコンピューティングデバイス、遠隔制御、無線スピーカ、セットトップボックスデバイス、テレビシステム及びコンピュータを含むがそれに限定されない、数多くの異なる種類のデバイスに実装され、それらのデバイスと共に使用され、又はそれらのデバイスに実装されると共にそれらのデバイスと併せて使用されうる。
【０００８】
本要約は、本書面で説明する主題の一部の概要を提供することを意図したものである。したがって、上述の特徴は単なる例であり、ここで説明される主題の範囲又は精神をいかなる方法によっても狭めるように解釈されるべきでないことが理解されるだろう。ここで説明される主題の他の特徴、態様及び利点は、以下の詳細な説明、図面及び特許請求の範囲から明らかとなるだろう。
【０００９】
以下の図面と併せて、以下の実施形態の詳細な説明が検討されるときに、本発明のより良い理解が得られうる。
【図面の簡単な説明】
【００１０】
【図１】１つの実施形態による、例示のユーザ端末（ＵＥ）を示す図。
【図２】ＵＥが２つの異なるＲＡＴを用いる２つの基地局と通信する例示の無線通信システムを示す図。
【図３】１つの実施形態による、基地局の例示のブロック図。
【図４】１つの実施形態による、ＵＥの例示のブロック図。
【図５】１つの実施形態による、ＵＥの無線通信回路の例示のブロック図。
【図６】起床処理の実施形態のタイミング図。
【図７】起床処理の実施形態のタイミング図。
【図８】１つの実施形態による、ＵＥの起床処理を並列化するための例示の方法を示すフローチャート。
【発明を実施するための形態】
【００１１】
本発明は、様々な変形及び代替的な形式の影響を容易に受けるが、その特定の実施形態が図面における例を通じて示され、ここで詳細に説明される。しかしながら、図面及びそれに対する詳細な説明は、本発明を開示された特定の形式に限定することを意図しておらず、むしろ、本発明は、添付の特許請求の範囲によって定められる精神及び範囲内にある、全ての変形、均等物、及び代替物をカバーするものであることが理解されるべきである。
【００１２】
頭字語
以下の頭字語が本開示において用いられる。
【００１３】
３ＧＰＰ：    第３世代パートナーシッププロジェクト
【００１４】
３ＧＰＰ２：  第３世代パートナーシッププロジェクト２
【００１５】
ＧＳＭ：      移動通信用グローバルシステム
【００１６】
ＵＭＴＳ：    ユニバーサル移動通信システム
【００１７】
ＴＤＳ：      時分割同期符号分割多元接続
【００１８】
ＬＴＥ：      ロングタームエボリューション
【００１９】
ＲＡＴ：      無線アクセス技術
【００２０】
ＴＸ：        送信
【００２１】
ＲＸ：        受信
【００２２】
用語
以下は、本願で用いられる用語集である。
【００２３】
メモリ媒体−任意の様々な種類のメモリ機器又はストレージ機器。用語「メモリ媒体」には、例えば、ＣＤ−ＲＯＭ、フロッピー（登録商標）ディスク、又はテープデバイスである設定媒体、ＤＲＡＭ、ＤＤＲ  ＲＡＭ、ＳＲＡＭ、ＥＤＯ  ＲＡＭ、Ｒａｍｂｕｓ  ＲＡＭなどのコンピュータシステムメモリ又はランダムアクセスメモリ、例えばハードドライブ又は光学記憶装置であるフラッシュ、磁気メディアなどの不揮発性メモリ、レジスタ、又は他の同様の種類のメモリ要素などを含むことが意図されている。メモリ媒体は、同様に他の種類のメモリ、又はその組み合わせを含みうる。さらに、メモリ媒体は、プログラムが実行される第１のコンピュータシステムに配置されてもよいし、第１のコンピュータシステムにインターネットなどのネットワークを介して接続する第２の異なるコンピュータシステムに配置されてもよい。後の例では、第２のコンピュータシステムは、実行のために、第１のコンピュータにプログラム命令を提供してもよい。用語「メモリ媒体」は、異なる位置に、例えばネットワークを介して接続される異なるコンピュータシステムに、存在し得る、２つ以上のメモリ媒体を含みうる。メモリ媒体は、１つ以上のプロセッサによって実行されうる、（例えば、コンピュータプログラムとして具現化される）プログラム命令を記憶し得る。
【００２４】
搬送媒体−上述のようなメモリ媒体、及び、電気、電磁又はデジタル信号などの信号を運ぶ、バス、ネットワーク、又は他の物理伝送媒体の少なくともいずれかなどの物理伝送媒体。
【００２５】
プログラム可能なハードウェア要素−プログラム可能なインターコネクトを介して接続された複数のプログラム可能な機能ブロックを有する様々なハードウェア機器を含む。例として、ＦＰＧＡ（フィールドプログラマブルゲートアレイ）、ＰＬＤ（プログラマブル論理機器）、ＦＰＯＡ（フィールドプログラマブルオブジェクトアレイ）、およびＣＰＬＤ（コンプレックスＰＬＤ）を含む。プログラム可能な機能ブロックは、きめの細かいもの（連結ロジック又はルックアップテーブル）から、きめの粗いもの（算術ロジックユニット又はプロセッサコア）までに及びうる。プログラム可能なハードウェア要素は、「リコンフィギュアラブルロジック」とも呼ばれうる。
【００２６】
コンピュータシステム−パーソナルコンピュータシステム（ＰＣ）、メインフレームコンピュータシステム、ワークステーション、ネットワーク装置、インターネット装置、パーソナルデジタルアシスタント（ＰＤＡ）、パーソナル通信機器、スマートフォン、テレビジョンシステム、グリッドコンピューティングシステム、又は他の機器又は複数の機器の組み合わせを含む、任意の様々な種類の演算又は処理システム。一般に、用語「コンピュータシステム」は、メモリ媒体から命令を実行する少なくとも１つのプロセッサを有する任意の機器（又は複数の機器の組み合わせ）を包含するように、広く定義することができる。
【００２７】
ユーザ端末（ＵＥ）（又は「ＵＥデバイス」）−モバイル又はポータブルであり、無線通信を実行する任意の様々な種類のコンピュータシステム又は機器。ＵＥデバイスの例は、携帯電話又はスマートフォン（例えばｉＰｈｏｎｅ（登録商標）、Ａｎｄｒｏｉｄ（登録商標）ベースの電話）、ポータブルゲーム機器（例えば、Ｎｉｎｔｅｎｄｏ  ＤＳ（登録商標）、ＰｌａｙＳｔａｔｉｏｎ  Ｐｏｒｔａｂｌｅ（登録商標）、ゲームボーイアドバンス（登録商標）、ｉＰｈｏｎｅ（登録商標））、ラップトップ、ＰＤＡ、ポータブルインターネット機器、音楽プレイヤ、データ記憶デバイス、他のハンドヘルドの機器、及び、腕時計、ヘッドフォン、ペンダント、イヤホンなどのウェアラブル機器などを含む。一般に、用語「ＵＥ」又は「ＵＥデバイス」は、ユーザによって容易に運ばれ、無線通信することができる、電気、コンピューティング又は電気通信の少なくともいずれかの任意の機器（又は機器の組み合わせ）を包含するように広く定義することができる。
【００２８】
基地局−用語「基地局」は、その通常の意味の全てを有し、少なくとも、固定位置に設置され、無線電話システム又は無線システムの一部として通信するのに使用される無線通信局を含む。
【００２９】
処理エレメント−様々なエレメント又は複数のエレメントの組み合わせのことを呼ぶ。処理エレメントは、例えば、ＡＳＩＣ（特定用途向け集積回路）などの回路、個別のプロセッサコアの一部又は回路、プロセッサコアの全体、個別のプロセッサ、フィールドプログラマブルゲートアレイ（ＦＰＧＡ）などのプログラム可能なハードウェア機器、又は複数のプロセッサを含むシステムの大きな部分の少なくともいずれかを含む。
【００３０】
自動的−コンピュータシステム（例えば、コンピュータシステムによって実行されるソフトウェア）又はデバイス（例えば、回路、プログラム可能なハードウェア要素、ＡＳＩＣなど）によって、動作又は操作を直接特定し又は実行するユーザ入力なしに実行される、当該動作又は操作を指す。したがって、用語「自動的」は、ユーザが操作を直接実行するように入力を供給する、ユーザによって手動で実行され又は特定される操作と対照的である。自動手順はユーザによって供給される入力によって開始されてもよいが、「自動的」に実行されるその後の動作は、そのユーザによって特定されない、すなわち、ユーザが実行すべき各動作を特定する「手動」では実行されない。例えば、コンピュータシステムはユーザ動作に応じてフォームを更新しなければならないが、（例えば情報をタイピングすることにより、チェックボックスを選択することにより、無線器選択などにより）各フィールドを選択し情報を特定する入力を供給することにより電子フォームに書き入れるユーザは、手動でそのフォームに書き入れる。そのフォームは、コンピュータシステムによって自動的に書き入れられてもよく、そこでは、そのコンピュータシステム（例えば、コンピュータシステム上で実行するソフトウェア）は、フォームのフィールドを解析し、そのフィールドに対する回答を特定するいかなるユーザ入力もなく、そのフォームを埋める。上記のように、ユーザは、そのフォームの自動記入を起動し得るが、そのフォームの実際の記入には関与しない（例えば、ユーザはフィールドに対する回答を手動で特定せず、むしろ、それらは自動的に完遂される）。本明細書は、ユーザが取った動作に応じて自動的に実行される様々な動作の例を提供する。
【００３１】
図１−ユーザ端末
図１は、１つの実施形態による、例示のユーザ端末（ＵＥ）１０６を示している。用語ＵＥ１０６は、上で定められた様々な機器のいずれかでありうる。ＵＥデバイス１０６は、様々な材料のいずれかで構成されうる、ハウジング１２を含みうる。ＵＥ１０６は、容量性タッチ電極を組み込んだタッチスクリーンでありうる、ディスプレイ１４を有しうる。ディスプレイ１４は、様々な表示技術の何れかに基づきうる。ＵＥ１０６のハウジング１２は、ホームボタン１６、スピーカポート１８、及びマイク、データポート、及び場合によっては様々な他の種類のボタン、例えばボリュームボタン、リンガーボタンなどである他のエレメント（不図示）などの、様々なエレメントのいずれかのための開口部を含み、又は有しうる。
【００３２】
ＵＥ１０６は、複数の無線アクセス技術（ＲＡＴ）をサポートしうる。例えば、ＵＥ１０６は、移動体通信用グローバルシステム（ＧＳＭ（登録商標））、ユニバーサル移動体通信システム（ＵＭＴＳ）、符号分割多元接続（ＣＤＭＡ）（例えば、ＣＤＭＡ２０００  １ＸＲＴＴ又は他のＣＤＭＡ無線アクセス技術）、時分割同期符号分割多元接続（ＴＤ−ＳＣＤＭＡ又はＴＤＳ）、ロングタームエボリューション（ＬＴＥ）、アドバンスドＬＴＥ、他のＲＡＴ、の少なくともいずれかのうち、２つ以上など、様々なＲＡＴのいずれかを用いて通信を行うように構成されうる。例えば、ＵＥ１０６は、ＧＳＭ、ＴＤＳ及びＬＴＥなどの３つのＲＡＴをサポートしうる。必要に応じて、様々な、異なる又は他のＲＡＴがサポートされうる。
【００３３】
ＵＥ１０６は、１つ以上のアンテナを有しうる。また、ＵＥ１０６は、１つ以上の送信器チェーン（ＴＸチェーン）及び１つ以上の受信器チェーン（ＲＸチェーン）の様々な組み合わせなどの、様々な無線器構成のいずれかを有しうる。例えば、ＵＥ１０６は、２つ以上のＲＡＴをサポートする無線器を有しうる。無線器は、単一のＴＸ（送信）チェーン及び単一のＲＸ（受信）チェーンを含みうる。代替的に、無線器は、例えば同一の周波数で動作する、単一のＴＸチェーン及び２つのＲＸチェーンを有しうる。別の実施形態では、ＵＥ１０６は、２つ以上の無線器、すなわち、２つ以上のＴＸ／ＲＸチェーン（２つ以上のＴＸチェーン及び２つ以上のＲＸチェーン）を有する。
【００３４】
ＵＥ１０６は、２つ以上のＲＡＴを用いて通信するのに用いられる２つのアンテナを有しうる。例えば、ＵＥ１０６は、単一の無線器又は共有無線器に接続される、一対の携帯電話のアンテナを有しうる。アンテナは、スイッチング回路及び他の無線周波数フロントエンド回路を用いて、共有無線器（共有無線通信回路）に接続されうる。例えば、ＵＥ１０６は、送受信器又は無線器と接続される第１のアンテナ、すなわち、送信のための送信器チェーン（ＴＸチェーン）に接続されると共に受信のための第１の受信器チェーン（ＲＸチェーン）に接続される第１のアンテナを有しうる。また、ＵＥ１０６は、第２のＲＸチェーンに接続される第２のアンテナを有しうる。第１の受信器チェーン及び第２の受信器チェーンは、共通の局部発振器を共有してもよく、これは、第１の受信器チェーン及び第２の受信器チェーンが同一の周波数に調整することを意味する。第１の受信器チェーン及び第２の受信器チェーンは、プライマリ受信器チェーン（ＰＲＸ）及びダイバーシティ受信器チェーン（ＤＲＸ）と呼ばれうる。
【００３５】
１つの実施形態において、ＰＲＸ受信器チェーン及びＤＲＸ受信器チェーンは、ＬＴＥ及びＧＳＭ又はＣＤＭＡ１ｘなどの１つ以上の他のＲＡＴなど、２つ以上のＲＡＴ間で、ペアとしてかつ時間多重として動作する。ここで説明される主たる実施形態では、ＵＥ１０６は、１つの送信器チェーン及び２つの受信器チェーン（ＰＲＸ及びＤＲＸ）を有し、送信器チェーンと（ペアとして動作する）２つの受信器チェーンとが、ＬＴＥ及びＧＳＭなどの２つ（以上）のＲＡＴ間で時間多重化を行う。
【００３６】
各アンテナは、６００ＭＨｚから３ＧＨｚまでなどの広範囲の周波数を受信しうる。したがって、例えば、ＰＲＸ受信器チェーン及びＤＲＸ受信器チェーンの局部発振器は、ＬＴＥ周波数帯域などの特定の周波数に合わせてもよく、ＰＲＸ受信器チェーン及びＤＲＸ受信器チェーンは、（共に同一の局部発振器を用いるため）共に同じ周波数で、それぞれアンテナ１からのサンプルとアンテナ２からのサンプルとを受信する。ＵＥ１０６における無線回路は、ＵＥ１０６のための動作の所望のモードに応じて、リアルタイムで設定されうる。ここで説明される例示の実施形態では、ＵＥ１０６は、ＬＴＥとＣＤＭＡなどの他の組み合わせも想定されるが、ＬＴＥ及びＧＳＭ無線アクセス技術をサポートするように構成される。
【００３７】
図２−通信システム
図２は、例示の（そして単純化した）無線通信システムを示す。なお、図２のシステムは、とりうるシステムの単なる１つの例であり、要求に応じて、実施態様は、様々なシステムのいずれかにおいて実装されうる。
【００３８】
図のように、例示の無線通信システムは、ＵＥ１０６として表されている１つ以上のユーザ端末（ＵＥ）デバイスと、伝送媒体を介して通信する、基地局１０２Ａ及び１０２Ｂを含む。基地局１０２は、基地局送受信器（ＢＴＳ）又はセルサイトであってもよく、ＵＥ１０６との無線通信を可能とするハードウェアを含みうる。各基地局１０２は、コアネットワーク１００と通信するための設備を有しうる。例えば、基地局１０２Ａは、コアネットワーク１００Ａに接続されてもよく、一方で基地局１０２Ｂは、コアネットワーク１００Ｂに接続されうる。各コアネットワークは、別個のセルラサービスプロバイダによって運用されてもよく、また、複数のコアネットワーク１００Ａは同一のセルラサービスプロバイダによって運用されてもよい。各コアネットワーク１００は、インターネットと、公衆交換電話網（ＰＳＴＮ）と、任意の他のネットワークと、の少なくともいずれかを含みうる（外部ネットワーク１０８などの）１つ以上の外部ネットワークに接続されうる。このように、基地局１０２は、ＵＥデバイス１０６間と、ＵＥデバイス１０６とネットワーク１００Ａ、１００Ｂ及び１０８との間と、の少なくともいずれかにおける通信を促進しうる。
【００３９】
基地局１０２及びＵＥ１０６は、ＧＳＭ、ＵＭＴＳ（ＷＣＤＭＡ（登録商標））、ＴＤＳ、ＬＴＥ、ＬＴＥアドバンスド（ＬＴＥ−Ａ）、３ＧＰＰ２  ＣＤＭＡ２０００（例えば１ｘＲＴＴ、１ｘＥＶ−ＤＯ、ＨＲＰＤ、ｅＨＲＰＤ）、ＩＥＥＥ８０２．１１（ＷＬＡＮ又はＷｉ−Ｆｉ）、ＩＥＥＥ８０２．１６（ＷｉＭＡＸ）などのような様々な無線アクセス技術（無線通信技術又は電気通信標準とも呼ばれる「ＲＡＴ」）のいずれかを用いた伝送媒体を介して通信するように構成されうる。
【００４０】
基地局１０２Ａ及びコアネットワーク１００Ａは、第１のＲＡＴ（例えばＬＴＥ）に従って動作し、一方で、基地局１０２Ｂ及びコアネットワーク１００Ｂは、第２の（例えば異なる）ＲＡＴ（例えばＧＳＭ、ＴＤＳ、ＣＤＭＡ又は他の既存の又は回線交換技術）に従って動作しうる。２つのネットワークは、同一のネットワークオペレータ（例えばセルラサービスプロバイダ又は「キャリア」）によって、又は、必要に応じて異なるネットワークオペレータによって、制御されうる。さらに、２つのネットワークは、（異なるＲＡＴに従って動作する場合、）互いに独立して運用されてもよく、又は、若干結合された若しくは強く結合された方法で運用されてもよい。
【００４１】
また、２つの異なるネットワークが図２に示す例示のネットワーク構成で図解されるように、２つの異なるＲＡＴをサポートするのに用いられうる一方で、複数のＲＡＴを実装する他のネットワーク構成もまた可能である。１つの例として、基地局１０２Ａ及び１０Ｂは、異なるＲＡＴに従って動作するが、同一のコアネットワークに接続しうる。別の例として、異なるＲＡＴ（例えば、ＬＴＥ及びＧＳＭ、ＬＴＥ及びＴＤＳ、ＬＴＥ及びＧＳＭ及びＴＤＳ、他の任意のＲＡＴの組み合わせの少なくともいずれか）を同時にサポートすることができるマルチモード基地局は、異なるセルラ通信技術をサポートするネットワーク又はサービスプロバイダに接続されうる。１つの実施形態において、ＵＥ１０６は、パケット交換技術（例えばＬＴＥ）である第１のＲＡＴ及び回線交換技術（例えばＧＳＭ又はＴＤＳ）である第２のＲＡＴを用いるように構成されうる。
【００４２】
上述のように、ＵＥ１０６は、３ＧＰＰ、３ＧＰＰ２又は任意の所望のセルラ標準内のものなど、複数のＲＡＴを用いて通信することが可能でありうる。ＵＥ１０６は、また、ＷＬＡＮ、Ｂｌｕｅｔｏｏｔｈ（登録商標）、１つ以上のグローバルナビゲーション衛星システム（ＧＮＳＳ、例えばＧＰＳ又はＧＬＯＮＡＳＳ）、１つ又は複数の少なくともいずれかの移動体テレビ放送標準（例えばＡＴＳＣ−Ｍ／Ｈ又はＤＶＢ−Ｈ）などを用いて通信するように構成されうる。ネットワーク通信標準の他の組み合わせも可能である。
【００４３】
このように、同一の若しくは異なるＲＡＴ又はセルラ通信標準に従って動作する基地局１０２Ａ並びに１０２Ｂ、及び他の基地局は、ＵＥ１０６及び同様のデバイスに、１つ以上の無線アクセス技術（ＲＡＴ）を介して、広い地理的領域にわたって、連続した又はほぼ連続して重畳したサービスを提供しうる、セルのネットワークとして提供されうる。
【００４４】
図３−基地局
図３は、基地局１０２の例示のブロック図を示す。なお、図３の基地局は、とり得る基地局の単なる１つの例である。図のように、基地局１０２は、基地局１０２のためのプログラム命令を実行しうるプロセッサ５０４を含みうる。また、プロセッサ５０４は、プロセッサ５０４からアドレスを受信してそれらのアドレスをメモリ（例えばメモリ５６０及び読み出し専用メモリ（ＲＯＭ）５５０）の位置に変換するように構成されうる、メモリ管理部（ＭＭＵ）に、又は他の回路若しくは機器に、接続されうる。
【００４５】
基地局１０２は、少なくとも１つのネットワークポート５７０を含みうる。ネットワークポート５７０は、電話網に接続するように構成され、上述のように、ＵＥデバイス１０６などの複数の機器に、その電話網への接続を提供しうる。
【００４６】
ネットワークポート５７０（又は追加のネットワークポート）は、さらに、又は代替的に、セルラネットワークに、例えばセルラサービスプロバイダのコアネットワークに、接続するように構成されうる。コアネットワークは、ＵＥデバイス１０６などの複数の機器に、移動性に関するサービスと他のサービスとの少なくともいずれかを提供しうる。いくつかの場合、（例えばセルラサービスプロバイダによってサービスが供される他のＵＥデバイス１０６の間で）ネットワークポート５７０がコアネットワークを介して電話網に接続しうるか、コアネットワークが電話網を提供しうるか、の少なくともいずれかでありうる。
【００４７】
基地局１０２は、少なくとも１つのアンテナ５３４を含みうる。少なくとも１つのアンテナ５３４は、無線送受信器として動作するように構成されてもよく、無線器５３０を介してＵＥデバイス１０６と通信するようにさらに構成されうる。アンテナ５３４は、通信チェーン５３２を介して無線器５３０と通信する。通信チェーン５３２は、受信チェーン、送信チェーン、又はその両方でありうる。無線器５３０は、ＬＴＥ、ＧＳＭ、ＴＤＳ、ＷＣＤＭＡ、ＣＤＭＡ２０００などを含むがこれらに限定されない様々なＲＡＴを介して、通信するように構成されうる。
【００４８】
基地局１０２のプロセッサ５０４は、例えば、メモリ媒体（例えば非一時的コンピュータ可読メモリ媒体）に記憶されたプログラム命令を実行することにより、ここで説明される方法の一部又は全部を実行するように構成されうる。代替的に、プロセッサ５０４は、ＦＰＧＡ（フィールドプログラマブルゲートアレイ）若しくはＡＳＩＣ（特定用途向け集積回路）、又はそれらの組み合わせなどのプログラム可能なハードウェアエレメントとして、構成されうる。
【００４９】
図４−ユーザ端末（ＵＥ）
図４は、ＵＥ１０６の例示の単純化したブロック図を示す。図のように、ＵＥ１０６は、様々な用途のための部分を含みうるシステム・オン・チップ（ＳｏＣ）４００を含みうる。ＳｏＣ４００は、ＵＥ１０６の様々な他の回路に接続されうる。例えば、ＵＥ１０６は、（ＮＡＮＤフラッシュを含む）様々な種類のメモリ、（例えばコンピュータシステム、ドック、充電ステーションなどに接続するための）コネクタインタフェース４２０、ディスプレイ４６０、ＬＴＥ、ＧＳＭ、ＴＤＳ、ＣＤＭＡなどのセルラ通信回路４３０、及び短距離無線通信回路４２９（例えばＢｌｕｅｔｏｏｔｈ及びＷＬＡＮ回路）を含みうる。ＵＥ１０６は、さらに、１つ以上のＵＩＣＣ（ユニバーサル集積回路カード）カード３１０などのＳＩＭ（加入者識別モジュール）機能を含む、１つ以上のスマートカード３１０を有しうる。セルラ通信回路４３０は、１つ以上のアンテナに、好ましくは図のように２つのアンテナ４３５及び４３６に、接続しうる。短距離無線通信回路４２９も、２つのアンテナ４３５及び４３６の１つ又は両方に接続しうる（この接続は、図解の簡単のために示されていない）。
【００５０】
図のように、ＳｏＣ４００は、ＵＥ１０６のためのプログラム命令を実行しうるプロセッサ４０２と、画像処理を実行し、ディスプレイ４６０へ表示信号を供給しうる表示回路４０４と、を含みうる。また、プロセッサ４０２は、プロセッサ４０２からアドレスを受信し、それらのアドレスを（例えば、メモリ４０６、読み出し専用メモリ（ＲＯＭ）４５０、ＮＡＮＤフラッシュメモリ４１０）における位置に変換するように構成されうるメモリ管理部（ＭＭＵ）４４０と、表示回路４０４、セルラ通信回路４３０、短距離無線通信回路４２９、コネクタＩ／Ｆ４２０、ディスプレイ４６０の少なくともいずれかなどの他の回路若しくは機器との少なくともいずれかに接続されうる。ＭＭＵ４４０は、メモリ保護及びページテーブル変換又は設定を実行するように構成されうる。一部の実施形態では、ＭＭＵ４４０は、プロセッサ４０２の一部として含まれうる。
【００５１】
１つの実施形態では、上述のように、ＵＥ１０６は、１つ以上の加入者識別モジュール（ＳＩＭ）アプリケーションを実行するか、そうでなければＳＩＭ機能を実装するか、の少なくともいずれかである、ＵＩＣＣ３１０などの少なくとも１つのスマートカード３１０を有する。少なくとも１つのスマートカード３１０は単一のスマートカード３１０であってもよく、又は、ＵＥ１０６は、２つ以上のスマートカード３１０を有してもよい。各スマートカード３１０は、組み込まれてもよく、例えば、ＵＥ１０６内の回路基板上にはんだづけられてもよく、又は、各スマートカード３１０は、取り外し可能なスマートカードとして実装されてもよい。このように、スマートカード３１０は、（時に「ＳＩＭカード」と呼ばれるＵＩＣＣカードなどの）１つ以上の取り外し可能なスマートカードであってもよいし、スマートカード３１０は、（時に「ｅＳＩＭ」又は「ｅＳＩＭカード」と呼ばれる内蔵ＵＩＣＣ（ｅＵＩＣＣ）などの）１つ以上の内蔵カードであってもよく、また、その両方であってもよい。（スマートカード３１０がｅＵＩＣＣを含む場合などの）一部の実施形態では、スマートカード３１０のうちの１つ以上は、内蔵ＳＩＭ（ｅＳＩＭ）機能を実装してもよく、そのような実施形態では、スマートカード３１０のうちの単一の１つが複数のＳＩＭアプリケーションを実行しうる。スマートカード３１０のそれぞれは、プロセッサ及びメモリなどの要素を含んでもよく、ＳＩＭ／ｅＳＩＭ機能を実行するための命令は、メモリに格納され、プロセッサによって実行されうる。１つの実施形態では、ＵＥ１０６は、必要に応じて、（ｅＳＩＭ機能を実行する１つ以上のｅＵＩＣＣカードなどの）取り外し可能なスマートカード及び固定の／取り外し可能でないスマートカードの組み合わせを含んでもよい。例えば、ＵＥ１０６は、２つの内蔵スマートカード３１０、２つの取り外し可能なスマートカード３１０、又は１つの内蔵スマートカード３１０及び１つの取り外し可能なスマートカード３１０の組み合わせを含みうる。様々な他のＳＩＭ構成も予定されている。
【００５２】
上述のように、１つの実施形態において、ＵＥ１０６は、それぞれがＳＩＭ機能を実装する２つ以上のスマートカード３１０を有する。ＵＥ１０６において２つ以上のＳＩＭスマートカード３１０を含むことは、ＵＥ１０６が２つの異なる電話番号をサポートすることを可能としうるし、ＵＥ１０６が２つ以上の対応する別個のネットワークで通信することを可能とし得る。例えば、第１のスマートカード３１０はＬＴＥなどの第１のＲＡＴをサポートするＳＩＭ機能を有してもよく、第２のスマートカード３１０は、ＧＳＭ又はＣＤＭＡなどの第２のＲＡＴをサポートするＳＩＭ機能を有してもよい。他の実装及びＲＡＴも、当然ながら可能である。ＵＥ１０６が２つのスマートカード３１０を有する場合、ＵＥ１０６は、デュアルＳＩＭデュアルアクティブ（ＤＳＤＡ）機能をサポートしうる。ＤＳＤＡ機能は、ＵＥ１０６を同時かつ一度に２つのネットワークに接続する（そして、例えば２つの異なるＲＡＴを使用する）ことを可能とし得る。また、ＤＳＤＡ機能は、ＵＥ１０６が、いずれかの電話番号で音声呼又はデータトラフィックを同時に受信することを可能としうる。別の実施形態では、ＵＥ１０６は、デュアルＳＩＭデュアルスタンバイ（ＤＳＤＳ）機能をサポートする。ＤＳＤＳ機能は、ＵＥ１０６における２つのスマートカード３１０のいずれかを、音声呼とデータ接続との少なくともいずれかを待ち受けるスタンバイとすることを可能とし得る。ＤＳＤＳでは、１つのＳＩＭ３１０において呼／データが確立されるときに、他のＳＩＭ３１０はアクティブとはならない。１つの実施形態では、ＤＳＤｘ機能（ＤＳＤＡ機能とＤＳＤＳ機能とのいずれか）が、異なるキャリアとＲＡＴとの少なくともいずれかのための複数のＳＩＭ機能を実行する単一のスマートカード（例えばｅＵＩＣＣ）を用いて実装されうる。
【００５３】
上述のように、ＵＥ１０６は、複数の無線アクセス技術（ＲＡＴ）を用いて無線で通信するように構成されうる。さらに上述したように、そのような例では、セルラ通信回路（無線器）４３０は、複数のＲＡＴ間で共有される無線器コンポーネントと、単一のＲＡＴに従って排他的に使用されるように構成される無線器コンポーネントと、の少なくともいずれかを含みうる。ＵＥ１０６が少なくとも２つのアンテナを有する場合、アンテナ４３５及び４３６は、ＭＩＭＯ（多入力多出力）通信を実行するように構成可能でありうる。
【００５４】
ここで説明するように、ＵＥ１０６は、ここで説明されたものなど、２つ以上のＲＡＴを用いて通信するための特徴を実装するためのハードウェア及びソフトウェアコンポーネントを含みうる。ＵＥデバイス１０６のプロセッサ４０２は、例えばメモリ媒体（例えば非一時的コンピュータ可読メモリ媒体）に記憶されたプログラム命令を実行することによって、ここで説明される特徴の一部又は全てを実行するように構成されうる。代替的に（又は追加して）、プロセッサ４０２は、ＦＰＧＡ（フィールドプログラマブルゲートアレイ）又はＡＳＩＣ（特定用途向け集積回路）などのプログラム可能なハードウェアエレメントとして構成されうる。代替的に（又は追加して）、ＵＥデバイス１０６のプロセッサ４０２は、他のコンポーネント４００、４０４、４０６、４１０、４２０、４３０、４３５、４４０、４５０、４６０の１つ以上と連動して、ここで説明される特徴の一部又は全部を実行するように構成されうる。
【００５５】
図５−ＵＥの例示の無線通信回路
図５は、例えばセルラ通信を実行するＵＥの例示の無線通信回路のブロック図を示す。１つの実施形態では、図５の無線通信回路は、図４のセルラ無線器４３０の少なくとも一部に対応しうる。図のように、ＵＥは、無線周波数（ＲＦ）回路（例えばＲＦ集積回路（ＩＣ））５０２と、（「ベースバンド回路」とも呼ばれる）ベースバンド及びスタックサブシステム５３２との両方を含む。また、ＵＥは、水晶発振器でありうる発振器５３０を含む。
【００５６】
図のように、発振器５３０は、Ｆ−ｒｅｆ５２６を供給しうる。Ｆ−ｒｅｆ５２６は、発振器５３０が、その安定状態に達した際に供給する主たる基準周波数でありうる。発振器５３０は、ＲＦ−ＰＬＬ（位相ロックループ）５２４及びＢＢ−ＰＬＬ５２８に接続されうる。ＲＦ−ＰＬＬは、ＲＦ−データパスのための参照クロックを供給するのに使用されうる、ＲＦ位相ロックループである。ＢＢ−ＰＬＬ５２８は、ベースバンド回路５３２のための参照クロックをロックするのに使用されうる、ベースバンド位相ロックループである。
【００５７】
ＲＦ−ＰＬＬは、１つ以上のアンテナ（例えばアンテナ４３５及び４３６）及びＡＤＣ（アナログ−デジタル変換器）５１０に接続されるＲＦ−データパス５０６に、接続される。ＲＦ−データパス５０６は、アンテナによって送信／受信されるべき信号を用意するのに用いられるコンポーネントを含みうる。ＡＤＣは、アナログ信号からＩＱサンプルへ変換するのに用いられうる。
【００５８】
ＢＢ−ＰＬＬ５２８は、ベースバンドＲＦインタフェースへ供給される様々なクロックレートを管理するのに使用されうるクロック管理部５２２に、接続されうる。クロック管理部５２２は、ＡＤＣ５１０と、ＤＡＣ（デジタル−アナログ変換器）５０８との両方に接続されうる。ＤＡＣ５０８は、ＩＱサンプルをアナログ信号に変換するのに使用されうる。ＡＤＣ５１０及びＤＡＣ５０８は、共に、ＳｏＣインターコネクション５０４に接続されうる。
【００５９】
また、クロック管理部５２２は、（例えば、以下の「ＲＦマイクロプロセッサ」とも呼ばれうる）ＲＦプロセッサ５１６、ＲＦ制御及び設定レジスタ５１４、不揮発性メモリ５１８、及び揮発性メモリ５２０に接続されうるＳｏＣインターコネクション５１２に、接続されうる。ＲＦ制御及び設定レジスタは、ＲＦのワークフローを制御し、ＲＦの様々なコンポーネントを設定するのに用いられるレジスタでありうる。ＳｏＣ（システム・オン・チップ）インターコネクションは、ＮｏＣ（ネットワーク・オン・チップ）とも呼ばれうる。これらのインターコネクションは、様々なコンポーネントがバスプロトコルに従って互いに通信することができるように用いられる、バスシステムでありうる。例えば、このバスは、プロセッサがメモリワードを要求し、メモリが要求ワードに反応する場合などに用いられうる。１つの実施形態では、ＳｏＣインターコネクション（例えば、５０４、５１２、５４８及び５３８）のそれぞれがその独自の参照番号を有するが、それらは、同一のシステム又は機能を指しうる。
【００６０】
以下で述べるように、ＲＦプロセッサ５１６は、例えばベースバンドプロセッサ５５２が制御するのに代えて、スリープからの起床の後に、受信（Ｒｘ）の準備をするのに必要なタスクを制御しうる。フラッシュメモリとして実装されうる不揮発性メモリ（又は不揮発性ＲＡＭ）５１８は、ＲＦ回路５０２がスリープ状態にある間に、様々な設定、コードなどを記憶しうる。例えば、不揮発性メモリは、ＲＦプロセッサ５１６によって実行されるコードを記憶しうる。揮発性メモリ５２０（又はＲＡＭ）は、ＲＦプロセッサ５１６によって用いられるメモリでありうる。例えば、スリープ状態から起床した後に、ＲＦプロセッサ５１６は、不揮発性メモリ５１８から揮発性メモリ５２０へ、その動作に必要なコード及びデータを転送しうる。この時点で、コードが、ＲＦプロセッサ５１６によって実行されうる。この処理は、例えばＲＦ回路５０２の、ブートプロセスと呼ばれうる。
【００６１】
図のように、ベースバンド及びスタックサブシステム５３２は、様々なコンポーネントを含む。例えば、ＲＦ回路５０２のＢＢ−ＰＬＬ５２８は、ベースバンドコンポーネントに供給される様々なクロックレートを管理しうるクロック管理部５５０に、接続される。クロック管理部は、ＡＤＣバッファ５４４とＰＤＣＣＨベースバンド５４６とベースバンドプロセッサ５５２とに順に接続されうるＳｏＣインターコネクション５４８に、接続されうる。ＰＤＣＣＨベースバンド５４６は、ＰＤＣＣＨを受信するように構成されるベースバンドブロックでありうる。ＡＤＣバッファ５４４は、ＡＤＣ５１０からのデータ（例えばＩＱサンプル）を記憶しうる。
【００６２】
（時にベースバンドマイクロプロセッサと呼ばれる）ベースバンドプロセッサ５５２は、一般に、信号処理データパス（送信（Ｔｘ）／受信（Ｒｘ））を制御するのに用いられうる。ベースバンドプロセッサ５５２は、アンテナで行われる活動のための全体的なスケジューラとして用いられうる。ＲＦプロセッサがない場合、ベースバンドプロセッサ５５２は、ＲＦの活動をスケジューリングするのにも用いられうる。
【００６３】
ＳｏＣインターコネクション５４８は、ホストインタフェース管理プロセッサ５４６、Ｌ１／スタックプロセッサ５３６、ＭＡＣ／ＲＬＣ／ＲＲＣ／ＮＡＳメモリ５４０、Ｌ１／ＦＷメモリ５４２、及びＬＴＥベースバンド５５４に接続されうる。ホストインタフェース管理プロセッサ５４６は、ユーザインタフェース、画像プロセッサ、及び他のものに用いられるアプリケーションプロセッサとして用いられうる。Ｌ１／スタックプロセッサ５３６は、ＬＴＥスタック及びＬ１制御のコードに宛てられるプロセッサでありうる。ＭＡＣ／ＲＬＣ／ＲＲＣ／ＮＡＳメモリ５４０は、ＭＡＣ、ＲＬＣ、ＲＲＣ及びＮＡＳコンポーネントのレイヤによって用いられるメモリでありうる。Ｌ１／ＦＷメモリ５４２は、Ｌ１ドライバ及びファームウェアによって用いられるメモリでありうる。最後に、ＬＴＥベースバンド５５４は、例えばＰＤＣＣＨを除く、物理チャネルを供するのに必要なＬＴＥ信号処理ベースバンドを実行しうる。
【００６４】
例示の起床処理態様
処理の間、ＵＥ１０６は、周期的にスリープ状態に入り、そして抜けうる。例えば、ＵＥ１０６は、バッテリ電力を節約するために周期的にスリープ状態に入り、ネットワークからのメッセージを受信するために、例えばとりわけＰＤＣＣＨ受信を実行するために、スリープ状態から起床しうる。以下の実施形態は、必要に応じて、１つ以上の上述のシステム又は機器を用いて実行されうる。
【００６５】
第１の実施形態では、起床処理は、以下のステップの１つ以上を含みうる。
【００６６】
１）（他の発振器も予定されるが、「ＸＯ」とも呼ばれる）ＵＥの水晶発振器をオンにして、ＸＯが安定するのを待ち、
【００６７】
２）例えばＲＦ回路の、様々な異なるＰＬＬにＸＯの出力（又は基準周波数）を供給し、
【００６８】
３）無線回路のマイクロプロセッサ、メモリなどの無線回路の様々な部分、例えばＲＦ回路とベースバンド回路との少なくともいずれかへ、例えばＰＬＬの出力を用いて、クロックが供給されてもよく、
【００６９】
４）様々な起床コードシーケンスが実行されうる。
【００７０】
例示の起床コードシーケンスは、以下のステップの１つ以上を含みうる。
【００７１】
１）高速クロック（例えば、無線通信回路におけるセルラ通信に用いられるマスタクロック）の、ＵＥの低速クロックを用いたキャリブレーション。低速クロックは、例えば概ね３２ｋＨｚの範囲（例えば、ちょうど３２ｋＨｚ）で動作しうる、ＵＥにおいて常時オンであるクロックであってもよく、高速クロックは、周期的に（例えばスリープ状態を除く時に）オンの、例えば（他の周波数の範囲も可能であるが）概ね２０ＭＨｚから１．５ＧＨｚの範囲で動作しうる、クロックでありうる。高速クロックは、上述のＸＯ／ＰＬＬから供給されうる。高速クロックのキャリブレーションは、高速クロックが、最後に作動していたときから、どれだけ多くのサイクルが経過したかを、低速クロックのサイクルの数に基づいて判定することを含みうる。具体的には、高速クロックが停止した時間からｎ低速クロックサイクルがあったとしうるが、これは、２つのクロックのサイクルの周波数の比に基づいて、ｍ高速クロックサイクルに変換されうる。したがって、高速クロックは、自身が最後にオンとなったときから経過した高速クロックサイクルの数（ｍ）を計算することにより、現在のサイクルに「キャッチアップ」されうる。
【００７２】
２）ベースバンドサブシステム（例えば特定のレジスタ、メモリ、ソフトウェア、ファームウェアなど）の状態の復元。このステップは、例えばセルラ送信／受信の実行のための使用のために、不揮発性メモリに記憶されたデータを揮発性メモリに展開することを含みうる。
【００７３】
３）ＲＦ回路のキャリブレーション。
【００７４】
４）例えば周波数追従ループ（ＦＴＬ）処理及び時間追従ループ（ＴＴＬ）処理、自動利得制御（ＡＧＣ）などを含む、ＰＤＣＣＨ受信プロセスの準備。ＰＤＣＣＨ準備処理は、約１ｍｓかかりうる。
【００７５】
起床処理が完了すると、ＰＤＣＣＨ（又はネットワークからの他のメッセージ）を受信することができ、ＵＥ／無線回路は、通常モードで動作しうる。
【００７６】
図６は、この第１の実施形態に対応する、例示のタイミング図を示している。図のように、伝送時間間隔（ＴＴＩ）９から始まる（例えばそれぞれ１ｍｓの）周期的な０〜９のＴＴＩにおいて、図のタイミングが示されている。この特定の例では、ＰＤＣＣＨは、破線によって示されるように、ＴＴＩ３で受信される。ＴＴＩ９において、ＸＯは、システムのための、例えば無線通信回路のための基準周波数を供給するために、初期的にオンとされうる。この処理は、安定化するのに１ｍｓかかりうる。このステップの間、図のように、ＲＦ回路のみが起動状態でありうる。
【００７７】
ＴＴＩ０の間、ＸＯの出力を用いて（例えばＲＦ回路の）ＰＬＬが初期化されうる。特に、ＰＬＬは、ＲＸ及びベースバンドを、適切な周波数で駆動するようにプログラムされうる。このステップの間、図のように、ＲＦ回路のみが起動状態でありうる。
【００７８】
ＰＬＬの後に、ＴＴＩ０の終わりに、状態保持アルゴリズムが、ベースバンドシステムによって起動されうる。状態保持アルゴリズムは、（例えばスリープ状態に入る前に記憶された）様々な状態を、不揮発性メモリから揮発性メモリへの転送を起動してもよく、また、メモリ、レジスタ、ソフトウェアモジュールなどを起動しうる。このステップの間、図のように、ＲＦ及びベースバンド回路の両方が起動状態でありうる。
【００７９】
ＴＴＩ１において、ＲＦ回路のキャリブレーション及び初期化が実行されうる。このステップの間、図のように、ＲＦ及びベースバンド回路の両方が起動状態でありうる。
【００８０】
その後、ＴＴＩ２において、ＲＦ回路のために（例えばＰＤＣＣＨの受信のために）、状態の保持及びプログラミングが実行される。この実施形態では、ベースバンド及びＲＦ回路の状態の保持はベースバンド回路によって制御されてもよく、例えば、ＲＦ回路とベースバンド回路との両方のための不揮発性メモリからのテーブル及びプログラムコードの転送は、ベースバンド回路によって、開始され、制御され、又はその両方が行われうる。状態保持ステップは、前の状態の情報を復元する際には「状態の復元」ステップと呼ばれうる。このステップの間、図のように、ＲＦ及びベースバンド回路の両方が起動状態でありうる。
【００８１】
この時点で、ＴＴＩ３において、ベースバンド回路は、ＡＧＣ、ＴＴＬ、ＦＴＬ及びＰＤＣＣＨ処理を実行しうる。ＡＧＣ、ＴＴＬ、及びＦＴＬは、例えばＰＤＣＣＨの、実際の受信の前に開始されうる、制御ループである。いくつかの実施形態では、それらは、収束するのに０．５ｍｓを要求しうる。収束の後に、（例えばＲＦ回路による）ＰＤＣＣＨ受信と、（例えばベースバンド回路による）処理と、が実行されうる。このステップの間、図のように、ＲＦ及びベースバンド回路の両方が起動状態でありうる。
【００８２】
ＰＤＣＣＨ処理が完了すると、ＴＴＩ４において、ＸＯのシャットダウンに備えて、ベースバンド回路によって状態の保持が実行される。例えば、ベースバンド（例えばベースバンドプロセッサ）は、揮発性メモリから不揮発性メモリへの、現在の状態の情報（例えばテーブル及びコード）の転送を開始しうる。このステップの間、図のように、ベースバンド回路のみが起動状態でありうる。
【００８３】
最後に、ＴＴＩ５において、ＸＯのスイッチが切られてもよく、次のＰＤＣＣＨのためなど、処理が再度実行されるまで、新たなスリープ状態に入りうる。このステップの間、図のように、ベースバンド回路のみが起動状態でありうる。
【００８４】
この第１の実施形態では、ＲＦ回路は、キャリブレーション処理を制御するのに、またはより一般的に、ＲＦ回路に対して機能を割り当て、そしてローカライズするのに用いられうる、（例えば図５に示すマイクロプロセッサなどの）マイクロプロセッサを含みうる。しかしながら、この実施形態では、ＸＯのシャットダウン状態からＰＤＣＣＨの受信までの遷移時間は、長期化する場合があり、望ましいものより多くの電力を消費しうる。
【００８５】
第２の実施形態では、ＸＯのシャットダウン状態から受信ステージへの遷移時間が望まれるより長いため、ＸＯを単純にオンのまま維持し、まれな状況でのみシャットダウンするようにしうる。しかしながら、第１の実施形態よりなおさら、本実施形態における電力消費は、望まざるものとなりうる。
【００８６】
例えば第１の実施形態のステップと、第１の実施形態と第２の実施形態との両方の電力消費とを改良しうる第３の実施形態では、起床シーケンスが、例えばＲＦ回路のマイクロプロセッサを用いることによって、並列化されうる。
【００８７】
具体的には、小型で電力効率のよいマイクロプロセッサがＲＦ回路に含まれうる。このマイクロプロセッサのタスクは、ＲＦ回路の起床シーケンスをスケジューリングすることを含みうる。さらに、例えばスリープモードとアクティブモードとの両方においてＲＦ回路の状態を保持するために、ＮＶＲＡＭ及びＳＲＡＭもＲＦ回路に含まれうる。したがって、第３の実施形態では、ＲＦ状態保持ステップがベースバンドからＲＦマイクロプロセッサへ移りうる（例えば周波数パラメータ、ＡＧＣ値など）。さらに、キャリブレーションのテーブル及びシーケンスの転送又は制御が、ベースバンドプロセッサからＲＦマイクロプロセッサへ切り替えられうる。
【００８８】
図７は、第３の実施形態の動作で調整されたもの以外は図６と同様のタイミング図を示している。具体的には、ＲＦ回路における待機周期（図６におけるＴＴＩ０と１との間）は、ＲＦ回路のキャリブレーション及び状態の復元処理を制御するようにＲＦマイクロプロセッサを構成することによって、取り除かれうる。１つの実施形態では、ＲＦ及びベースバンド回路の状態復元処理は、それにより、独立化されうる。図のように、ＲＦ回路は、キャリブレーションの開始前にベースバンド回路の状態復元処理を待機するのにもはや依存せず、したがって、ベースバンド回路とプロセッサとの少なくともいずれかと独立して動作しうる。代わりに、ＲＦ回路（例えばＲＦ回路のマイクロプロセッサ）は、ＰＬＬステップの直後にキャリブレーションを開始しうる。さらに、ベースバンド回路の状態復元処理を、ベースバンド回路のＡＧＣ、ＴＴＬ及びＦＴＬステップの直前に移すことができ、これによりベースバンド回路がその実行時間を短縮することと、より後のタイミングで起動することとの両方を可能とする。ＲＦ回路の状態の復元「ギャップ」が取り除かれたため、ＸＯは、第１の実施形態より遅く起動されてもよく、これは、また、省電力を提供する。さらに、ＲＦ回路に、ベースバンド回路から独立してその状態を保持することができるように、新しい状態の保持ステップが加えられている。それ自身の保持を行うことにより、ＲＦ回路は、ＰＤＣＣＨ処理の完了より前にスリープに移行することができ、これは、ＲＦ回路の電力消費及びアクティブな状態の長さをさらに低減する。
【００８９】
第３の実施形態を実装することにより、例えば、第１の実施形態と比して、起床処理を約０．５〜１ｍｓだけ改善することができ、シャットダウン処理を約０．２〜０．５ｍｓだけ改善しうる。具体的には、第３の実施形態において、ベースバンド回路は、ＰＤＣＣＨ受信の直前にのみスイッチをオンとされうる。したがって、電力消費は、（ベースバンドサブシステムが非アクティブの周期の間／スリープモードにおいて）約１．８ｍｓから２ｍｓだけ低減されうる。この省電力は、ＲＦマイクロプロセッサによって有効とされうる。
【００９０】
より詳細には、第３の実施形態における変更箇所を用いないと、ＲＦ回路は、以下の方法で動作しうる。具体的には、開始は、０ｍｓの時間オフセットのＴＴＩ０でありえ、終了はＴＴＩ４かつ０．３ｍｓでありうる。作動時間は、４．３ｍｓでありうる。さらに、ベースバンドプロセッサからＲＦ回路への全ての要求は、０．１から０．２５ｍｓの間でありうる遅延を有してもよい。さらに、より大きいキャリブレーションテーブルの転送は、バスシステムに過負荷をかけ、電力を消費し、遅延を引き起こしうる。さらに、ＲＦ回路の状態は、ＲＦ回路の外部に記憶されうる。
【００９１】
一方で、第３の実施形態の変更箇所を用いると、ＲＦ回路は、以下の方法で動作しうる。具体的には、開始は、ＴＴＩ０及び時間オフセット０．６ｍｓでありえ、終了は、ＴＴＩ４及び時間オフセット０．２ｍｓでありうる。作動時間は、３．６ｍｓまで低減されうる。さらに、要求のほとんど又はすべてが、ほぼ又はまったく遅延がなく、ＲＦマイクロプロセッサから到来しうる。さらに、キャリブレーションはＲＦ回路によって内部で実行されてもよく、ＲＦ状態は、データを転送する時間を損なわずにＲＦ回路内で記憶されうる。
【００９２】
第３の実施形態の変更箇所を用いないと、ベースバンド回路は、以下の方法で動作しうる。具体的には、開始は、ＴＴＩ０及び時間オフセット０．７ｍｓでありえ、終了は、ＴＴＩ４及び時間オフセット０．９ｍｓでありうる。作動時間は４．２ｍｓでありうる。さらに、ベースバンド回路がＲＦの動作及びリソース管理をスケジューリングすることを要求されうるため、ソフトウェア／ハートウェアが複雑になりうる。
【００９３】
一方で、第３の実施形態の変更箇所を用いると、ベースバンド回路は、以下の方法で動作しうる。具体的には、開始はＴＴＩ２及び時間オフセット０ｍｓでありえ、終了はＴＴＩ４及び時間オフセット０．８５ｍｓでありうる。作動時間は２．８５ｍｓでありうる。さらに、ソフトウェア／ハードウェアの複雑性が低減されうる。
【００９４】
図８−起床処理の並列化
図８は、起床処理を並列化するための方法を図解するフローチャートの図である。本方法は、（ＵＥ１０６などの）ＵＥデバイスにより、例えば（第３の実施形態などの）上述のシステム及び方法を用いて実行されうる。より一般的には、図８に示した方法は、機器のうち、とりわけ、上の図に示したシステム又は機器のいずれかと併せて用いられうる。様々な実施形態において、示される方法の要素は、同時に、示したのと異なる順序で、実行されてもよいし、省略されてもよい。なお、必要に応じて、追加の方法の要素も実行されてもよい。本方法は、以下のように実行されうる。
【００９５】
８０２において、発振器（例えば、水晶発振器）は、スリープ状態から作動状態へ入りうる。１つの実施形態において、発振器は、スリープ状態において電源が切られていてもよく、８０２はその発振器の電源をオンにすることを含みうる。
【００９６】
８０４において、ＲＦ回路が、ベースバンド回路と独立して、起床処理を実行しうる。例えば、発振器の参照信号が、ＲＦ回路の１つ以上の位相ロックループ（ＰＬＬ）へ供給されうる。これらのＰＬＬは、順に、ＲＦ回路とベースバンド回路との少なくともいずれかの１つ以上のクロックを駆動するのに用いられうる出力を供給しうる。ＲＦ回路は、様々なＲＦコンポーネントを較正し、起動しうる。さらに、ＲＦ回路は、状態復元処理を実行することができ、状態復元処理は、例えば（例えばレジスタ、メモリ、ソフトウェア、ハードウェアなどの）状態の情報を、ＲＦ回路の不揮発性メモリから揮発性メモリへ転送することを含みうる。ＲＦ回路は、様々なテーブル又は他のデータ（例えばキャリブレーションテーブル及びシーケンス、周波数パラメータ、ＡＧＣ値など）、ＲＦ回路のマイクロプロセッサによる実行のためのコードなどを、状態情報の一部として、起床処理における別の処理として、またはその両方として、転送しうる。
【００９７】
上述のように、１つ以上の起床処理が、ＲＦ回路のマイクロプロセッサによって制御されうる。すなわち、ベースバンド回路が状態復元処理を起動し、制御し、又は起動すると共に制御するのに変えて、それらは、代わりに、ＲＦ回路（例えば、ＲＦ回路のマイクロプロセッサ）によって開始され、制御され、又は開始されると共に制御されうる。具体的には、１つの実施形態において、状態復元処理は、ベースバンド回路と独立して実行されうる。
【００９８】
８０６において、ベースバンド回路は、起床処理を実行しうる。ＲＦ回路と同様に、ベースバンド回路は、（例えば、レジスタ、メモリ、ソフトウェア、ファームウェアなどの）状態情報の、不揮発性メモリから揮発性メモリへの転送を含む状態復元処理を実行しうる。また、ベースバンド回路は、ＦＴＬ、ＴＴＬ、ＡＧＣの少なくともいずれかなどの、データの受信の準備のための１つ以上の処理を開始し、実行し、又は開始すると共に実行しうる。例えば、これらの処理は、ＵＥが通信している無線通信ネットワークのタイミングに、無線回路／ＵＥのタイミングを同期させるのに用いられうる。
【００９９】
ベースバンド回路とＲＦ回路との少なくともいずれかの起床処理は、ＵＥの高速クロックをＵＥの低速クロックを用いてキャリブレーションすることを含みうる。上述のように、ＵＥは、常時オンの、又は第１のスリープ状態の間に少なくともオンであった低速クロックであって、無線通信回路のクロックとして用いられうる（例えば、無線通信ネットワークとの通信の実行時に用いられる）高速クロックより低いレートで動作しうる低速クロックを、有しうる。低速クロックは、３２ｋＨｚ付近の範囲で動作しうる一方で、高速クロックは２０ＭＨｚから１．５ＧＨｚの範囲で動作しうる。低速クロックには、ＵＥの主たるコンポーネントと独立して電力が供給されうる。高速クロックは、上述のＰＬＬの出力に基づきうる。高速クロックのキャリブレーションは、第１のスリープ状態の間に（例えば、最後の起動状態又は状態情報に格納されたクロックから）どれだけ多くの高速クロックサイクルが過ぎたかの判定を含みうる。１つの実施形態では、この判定は、その時間に過ぎた低速クロックサイクルの数を判定し、低速クロックサイクルを高速クロックサイクルへ返還することにより行われうる。したがって、現在の高速クロックサイクルは、経過した低速クロックサイクルの数を判定することによって、判定されうる。このように、無線通信ネットワークからのデータを受信成功するのに必要でありうる（例えば、現在のＴＴＩを特定し、適切なＴＴＩにおける受信をスケジューリングする）現在の高速クロック時間又はサイクルが判定されうる。
【０１００】
８０８において、データが、ＲＦ回路を用いて、無線通信ネットワークから受信されうる。１つの実施形態において、データは、物理下りリンク制御チャネル（ＰＤＣＣＨ）内に供給されるデータでありえ、すなわち、ＰＤＣＣＨ情報でありうる。データは、ベースバンド回路の処理（例えばＦＴＬ／ＴＴＬ処理）の実行後に受信されうる。
【０１０１】
８１０において、データが、ベースバンド回路によって処理されうる。例えば、ベースバンド回路は、ＲＦ回路によって受信されたＰＤＣＣＨ情報を処理しうる。
【０１０２】
８１２において、ＲＦ回路は、ベースバンド回路と独立して、シャットダウン処理を実行しうる。例えば、ＲＦ回路は、受信データの処理の完了の前に、これらのシャットダウン処理を開始しうる。シャットダウン処理は、状態保持処理、例えば次のスリープ状態に備えた揮発性メモリから不揮発性メモリへの情報の転送、を含みうる。状態保持処理は、一般に、８０４で上述した状態復元処理の、逆方向であるが、同一の処理である。
【０１０３】
８１４において、ベースバンド回路は、シャットダウン処理を実行しうる。例えば、ベースバンド回路は、状態保持処理、例えば次のスリープ状態に備えた揮発性メモリから不揮発性メモリへの情報の転送、を実行しうる。状態保持処理は、一般に、８０６で上述した状態復元処理の、逆方向であるが、同一の処理である。
【０１０４】
８１６では、８１４のシャットダウン処理の後に、発振器がスリープ状態に入りうる。
【０１０５】
様々な実施形態
以下のパラグラフは、本開示の例示の実施形態について説明する。
【０１０６】
実施形態のある集合は、方法であって、無線周波数（ＲＦ）回路及びベースバンド回路を有する無線通信回路を含んだユーザ端末デバイス（ＵＥ）において、第１のスリープ状態から抜けるように水晶発振器に電力を供給し、水晶発振器からの出力に基づいて、ＲＦ回路に１つ以上のクロック信号を供給し、ベースバンド回路と独立して、ＲＦ回路のキャリブレーション及び状態の復元を実行し、ベースバンド回路の状態の復元を実行し、ＲＦ回路を用いて無線通信ネットワークからデータを受信し、ベースバンド回路を用いてデータを処理し、ＲＦ回路およびベースバンド回路のための状態の保持を実行し、第２のスリープ状態に入るように、水晶発振器の電源を切ることを含む方法を、含みうる。
【０１０７】
いくつかの実施形態によれば、ＲＦ回路およびベースバンド回路のための状態の保持の実行は、ベースバンド回路と独立してのＲＦ回路の状態の保持を実行することを含み、ベースバンド回路と独立してのＲＦ回路の状態の保持の実行は、ベースバンド回路を用いたデータの処理の完了の前に実行され、ＲＦ回路およびベースバンド回路のための状態の保持の実行は、データの処理の後に、ベースバンド回路の状態の保持を実行することを含む。
【０１０８】
いくつかの実施形態によれば、ＲＦ回路はマイクロプロセッサを含み、ＲＦ回路のキャリブレーション及び状態の復元の実行は、ＲＦ回路のマイクロプロセッサによって制御される。
【０１０９】
いくつかの実施形態によれば、ＲＦ回路は不揮発性メモリ及び揮発性メモリを有し、ＲＦ回路のキャリブレーション及び状態の復元の実行は、ＲＦ回路の不揮発性メモリから揮発性メモリへのデータの転送を含む。
【０１１０】
いくつかの実施形態によれば、ベースバンド回路を用いて、データの処理の前に、１つ以上の同期処理を実行することがさらに含まれる。
【０１１１】
いくつかの実施形態によれば、１つ以上の同期処理は、周波数追従ループ（ＦＴＬ）処理及び時間追従ループ（ＴＴＬ）処理を含む。
【０１１２】
いくつかの実施形態によれば、データは、物理下りリンク制御チャネル（ＰＤＣＣＨ）情報を含む。
【０１１３】
いくつかの実施形態によれば、水晶発振器からの出力を１つ以上の位相ロックループ（ＰＬＬ）へ供給することをさらに含み、１つ以上のクロック信号は、ＰＬＬの出力に基づく。
【０１１４】
いくつかの実施形態によれば、ベースバンド回路はマイクロプロセッサを有し、ベースバンド回路の状態の復元の実行は、ベースバンド回路のマイクロプロセッサによって制御される。
【０１１５】
いくつかの実施形態によれば、ＵＥは、第１のスリープ状態の間に作動する低速クロック及び無線通信回路の動作に用いられる高速クロックを有し、方法は、第１のスリープ状態の間に低速クロックサイクルの数を判定し、低速クロックサイクルのその数を用いて、第１のスリープ状態の間、高速クロックサイクルの数を判定し、高速クロックサイクルのその数を用いて現在の高速クロック時間を判定する、ことをさらに含み、無線通信ネットワークからのデータの受信は、現在の高速クロック時間の判定に基づいて実行される。
【０１１６】
実施形態のある集合は、ユーザ端末デバイス（ＵＥ）であって、水晶発振器と、マイクロプロセッサ、不揮発性メモリ及び揮発性メモリを有し、水晶発振器に接続されている無線周波数（ＲＦ）回路と、マイクロプロセッサを有し、ＲＦ回路及び水晶発振器に接続されているベースバンド回路と、を有し、第１のスリープ状態から抜けるように水晶発振器に電力を供給し、ＲＦ回路のマイクロプロセッサによる制御によって、水晶発振器へ電力を供給したことに応じて、ＲＦ回路のキャリブレーション及び状態の復元を実行し、ベースバンド回路のマイクロプロセッサによる制御によって、ＲＦ回路のキャリブレーションの実行後に、ベースバンド回路の状態の復元を実行し、ＲＦ回路を用いて、無線通信ネットワークからデータを受信し、ベースバンド回路を用いてデータを処理し、ＲＦ回路のマイクロプロセッサによる制御によって、無線通信ネットワークからのデータの受信の後に、ＲＦ回路の状態の保持を実行し、ベースバンド回路のマイクロプロセッサによる制御によって、データの処理の後に、ベースバンド回路の状態の保持を実行し、ベースバンド回路の状態の保持の実行の後に、第２のスリープ状態に入るように、水晶発振器の電源を切る、ように構成されるユーザ端末デバイス（ＵＥ）を含みうる。
【０１１７】
いくつかの実施形態によれば、ＲＦ回路は、さらに、１つ以上の位相ロックループ（ＰＬＬ）を有し、ＵＥは、さらに、１つ以上のＰＬＬへ水晶発振器からの出力を供給し、１つ以上のＰＬＬからの出力に基づいて、１つ以上のクロック信号を供給する、ように構成される。
【０１１８】
いくつかの実施形態によれば、ＲＦ回路の状態の保持の実行は、ベースバンド回路を用いたデータの処理の完了の前に行われる。
【０１１９】
いくつかの実施形態によれば、ＲＦ回路のキャリブレーション及び状態の復元の実行は、ＲＦ回路の不揮発性メモリから揮発性メモリへデータを転送することを含む。
【０１２０】
いくつかの実施形態によれば、ＵＥは、ベースバンド回路を用いて、データの処理の前に１つ以上の同期処理を実行するようにさらに構成され、１つ以上の同期処理は、周波数追従ループ（ＦＴＬ）処理及び時間追従ループ（ＴＴＬ）処理を含む。
【０１２１】
いくつかの実施形態によれば、データは、物理下りリンク制御チャネル（ＰＤＣＣＨ）情報を含む。
【０１２２】
いくつかの実施形態によれば、ＵＥは、第１のスリープ状態の間に作動する低速クロックと、無線通信回路の動作に用いられる高速クロックとを有し、ＵＥは、さらに、第１のスリープ状態の間に低速クロックサイクルの数を判定し、低速クロックサイクルのその数を用いて、第１のスリープ状態の間に、高速クロックサイクルの数を判定し、高速クロックサイクルのその数を用いて現在の高速クロック時間を判定する、ように構成され、無線通信ネットワークからのデータの受信は、現在の高速クロック時間の判定に基づいて実行される。
【０１２３】
実施形態のある集合は、ユーザ端末デバイス（ＵＥ）内に配置されるように構成された無線周波数（ＲＦ）回路であって、マイクロプロセッサと、マイクロプロセッサに接続されており、スリープ状態の間に、状態の情報を記憶するように構成される不揮発性メモリと、マイクロプロセッサに接続されており、アクティブな状態の間に、状態の情報を記憶するように構成される揮発性メモリと、を有し、ＲＦ回路は、第１のスリープ状態を抜けた後に、ＵＥの水晶発振器から参照信号を受信し、水晶発振器から参照信号を受信したことに応じて、ＲＦ回路のマイクロプロセッサによる制御によって、ＲＦ回路のキャリブレーション及び状態の復元を実行し、その状態の復元は、不揮発性メモリから揮発性メモリへの状態の情報の転送を含むものであり、無線通信ネットワークからデータを受信し、ＲＦ回路のマイクロプロセッサによる制御によって、無線通信ネットワークからのデータの受信の後に、ＲＦ回路の状態の保持を実行する、ように構成される、ＲＦ回路を含みうる。
【０１２４】
いくつかの実施形態によれば、ＲＦ回路の状態の保持の実行は、ＵＥのベースバンド回路によるデータの処理の完了の前に行われる。
【０１２５】
いくつかの実施形態によれば、ＲＦ回路は、さらに、１つ以上の位相ロックループ（ＰＬＬ）を含み、ＲＦ回路は、１つ以上のＰＬＬに参照信号を供給し、１つ以上のＰＬＬの出力に基づいて１つ以上のクロック信号を供給するように構成され、ＲＦ回路のキャリブレーション及び状態の復元の実行は、１つ以上のクロック信号に基づいて行われる。
【０１２６】
実施形態のある集合は、ここで説明される実施形態を実行するための実行可能なプログラム命令を記憶する、非一時的、コンピュータアクセス可能メモリ媒体を含みうる。
【０１２７】
実施形態のある集合は、上述の実施形態に対応する命令を有するコンピュータプログラムを含みうる。
【０１２８】
実施形態のある集合は、上述の実施形態に対応する方法を実行するための手段を有する装置を含みうる。
【０１２９】
実施形態のある集合は、発明の詳細な説明において、ここで実質的に説明された任意の動作又は動作の組み合わせを含む方法を含みうる。
【０１３０】
実施形態のある集合は、図面のそれぞれ若しくは任意の組み合わせを参照して、又は、発明の詳細な説明におけるパラグラフのそれぞれ若しくは任意の組み合わせを参照してここで実質的に説明された方法を含みうる。
【０１３１】
実施形態のある集合は、発明の詳細な説明においてここで実質的に説明された任意の動作、又は動作の組み合わせを実行するように構成された無線デバイスを含みうる。
【０１３２】
実施形態のある集合は、無線デバイスに含まれるような、発明の詳細な説明においてここで説明された任意の要素または要素の組み合わせを含む無線デバイスを含みうる。
【０１３３】
実施形態のある集合は、実行されるときに、発明の詳細な説明においてここで実質的に説明された任意の動作又は動作の組み合わせの実行を引き起こす命令を記憶する、不揮発性コンピュータ可読媒体を含みうる。
【０１３４】
実施形態のある集合は、発明の詳細な説明においてここで実質的に説明された任意の動作又は動作の組み合わせを実行するように構成される集積回路を含みうる。
【０１３５】
本発明の実施形態は、様々な形式のいずれかで実現されうる。例えば、いくつかの実施形態では、本発明は、コンピュータ実装された方法、コンピュータ可読メモリ媒体、又はコンピュータシステムとして実現されうる。他の実施形態では、本発明は、ＡＳＩＣなどの１つ以上のカスタムデザインされたハードウェアデバイスを用いて実現されうる。他の実施形態では、本発明は、ＦＰＧＡなどの１つ以上のプログラム可能なハードウェア要素を用いて実現されうる。例えば、ＵＥに含まれるユニットの一部又は全部が、ＡＳＩＣ、ＦＰＧＡ、又は任意の他の適切なハードウェアコンポーネント又はモジュールとして実装されうる。
【０１３６】
いくつかの実施形態では、非一時的コンピュータ可読メモリ媒体は、プログラム命令とデータとの少なくともいずれかを記憶するように構成されてもよく、プログラム命令は、コンピュータシステムによって実行される場合に、方法を、例えばここで説明された方法の実施形態のいずれかを、又は、ここで説明された方法の実施形態の任意の組み合わせを、又は、ここで説明された方法の実施形態のいずれかの任意のサブセットを、又は、そのようなサブセットの任意の組み合わせを、そのコンピュータシステムに実行させる。
【０１３７】
いくつかの実施形態では、機器（例えばＵＥ）は、プロセッサ（又はプロセッサのセット）とメモリ媒体とを含むように構成されてもよく、メモリ媒体は、プログラム命令を記憶し、プロセッサは、そのプログラム命令をメモリ媒体から読み出して実行し、プログラム命令は、ここで説明される様々な方法の実施形態（又は、ここで説明される方法の実施形態の任意の組み合わせ、若しくは、個々で説明される方法の実施形態のいずれかのサブセット、若しくは、そのようなサブセットの任意の組み合わせ）のいずれかを実装するように実行可能である。機器は、様々な形式のいずれかにおいて実現されうる。
【０１３８】
上述の実施形態について、相当に詳細に説明したが、一度上述の開示が完全に理解されれば、当業者には、数多くの変形物及び修正が明らかとなるだろう。以下の特許請求の範囲が、そのような変形物及び修正の全てを包含するように解釈されることが意図されている。
【図１】
0005985711.tif 000002
【図２】
0005985711.tif 000003
【図３】
0005985711.tif 000004
【図４】
0005985711.tif 000005
【図５】
0005985711.tif 000006
【図６】
0005985711.tif 000007
【図７】
0005985711.tif 000008
【図８】
0005985711.tif 000009